(57)【要約】【課題】片手でも頁捲りの動作を可能にする書見台を提供する。【解決手段】書籍２を載置する平板３と、利用者により操作される操作部６ａ，６ｂと、操作部６ａ，６ｂと所定の連動機構を介して連結し、平板３の上辺に該平板３の中心を挟んで左右に少なくとも１つずつ配置され、操作部６ａ，６ｂになされた操作に応じて変位する変位部７ａ，７ｂと、変位部７ａ，７ｂと連結し、該変位部７ａ，７ｂの変位に伴い書籍２の開かれた左右の頁をそれぞれ拘束及び解放するアーム８ａ，８ｂとを具備する。【選択図】図１
2006034551.tif 000002
【特許請求の範囲】
【請求項１】
書籍を載置する平板と、
利用者により操作される操作部と、
前記操作部と所定の連動機構を介して連結し、前記平板の上辺に該平板の中心を挟んで左右に少なくとも１つずつ配置され、前記操作部になされた操作に応じて変位する変位部と、
前記変位部と連結し、該変位部の変位に伴い前記書籍の開かれた左右の頁をそれぞれ拘束及び解放するアームと、
を具備して構成される書見台。
【請求項２】
前記平板の上辺に該平板の中心を挟んで左右に少なくとも１つずつ配置され、前記書籍の表表紙及び裏表紙のそれぞれの上端部分を固定する上辺固定具と、
前記平板の下辺に該平板の中心を挟んで左右に少なくとも１つずつ配置され、前記書籍の表表紙及び裏表紙のそれぞれの下端部分を固定する下辺固定具と、
を更に具備することを特徴とする請求項１記載の書見台。
【請求項３】
前記アームは、その先端の前記書籍と対峙する部分に弾性部材が配される共に、複数又は単数の関節部を有することを特徴とする請求項１又は２記載の書見台。
【請求項４】
前記操作部は、前記平板の下辺部に配され、前記平板に対して略垂直方向に摺動する部材であることを特徴とする請求項１〜３のいずれか１つに記載の書見台。
【請求項５】
前記平板の下辺部には、前記操作部の操作時に利用者が指を掛けるためのリブが形成されていることを特徴とする請求項４記載の書見台。
【請求項６】
前記連動機構は、
前記操作部と連結し該操作部の摺動に合わせて長手方向の軸を中心に回動する回動ロッドと、
前記回動ロッドから延設されると共に、前記変位部と摺動可能に連結する枝部と、
一端が前記変位部と連結すると共に、他端が所定の不動点に固定される板ばねと、
を具備して構成されることを特徴とする請求項４又は５記載の書見台。
【請求項７】
前記操作部は、解放スイッチ及び拘束スイッチを具備し、
前記連動機構は、
前記変位部を書籍の解放位置へ付勢する変位部ばねと、
前記変位部と係合することにより該変位部を書籍の拘束位置に保持するラチェットと、
前記ラチェットを前記変位部と係合する位置へ付勢するラチェットばねと、
前記解放スイッチをＯＮにすることにより通電され、通電されることにより前記ラチェットを前記変位部との係合位置から解除位置へ前記ラチェットばねに抗して変位させるラチェットソレノイドと、
前記変位部と所定の動力伝達機構を介して連結し、通電されることにより該変位部を解放位置から拘束位置に前記変位部ばねに抗して変位させる駆動力となるモータと、
前記モータへ通電するモータスイッチと、
前記拘束スイッチをＯＮにすることにより前記モータスイッチをＯＮにするモータスイッチ切換手段と、
を具備して構成されることを特徴とする請求項１〜３のいずれか１つに記載の書見台。
【請求項８】
前記モータスイッチ切換手段は、
前記モータが載置されると共に、前記モータスイッチとの接触又は非接触位置に変位するモータ台座と、
前記モータ台座を前記モータスイッチとの非接触位置へ付勢するモータ台座ばねと、
前記拘束スイッチをＯＮにすることにより通電され、通電されることにより前記モータ台座を前記モータスイッチとの接触位置に前記モータ台座ばねに抗して変位させるモータ台座ソレノイドと、
を具備して構成されることを特徴とする請求項７記載の書見台。
【請求項９】
前記変位部が前記拘束位置にある時にＯＮとなると共に、該拘束位置から脱した時にＯＦＦとなるラチェットソレノイドスイッチと、
前記変位部が前記拘束位置にある時にＯＦＦとなると共に、該拘束位置から脱した時にＯＮとなるモータ台座ソレノイドスイッチと、
を具備し、
前記ラチェットソレノイドは、前記ラチェットソレノイドスイッチがＯＮであり、且つ前記解放スイッチがＯＮである時に通電され、
前記モータ台座ソレノイドは、前記モータ台座ソレノイドスイッチがＯＮであり、且つ前記拘束スイッチがＯＮである時に通電されることを特徴とする請求項８記載の書見台。
【請求項１０】
前記モータスイッチ切換手段は、
前記モータスイッチとの接触又は非接触位置に変位するモータ用変位体と、
前記モータ用変位体を前記モータスイッチとの非接触位置へ付勢するモータ用変位体ばねと、
前記拘束スイッチをＯＮにすることにより通電され、通電されることにより前記モータ用変位体を前記モータスイッチとの接触位置に前記モータ用変位体ばねに抗して変位させるモータ用変位体ソレノイドと、
を具備して構成されることを特徴とする請求項７記載の書見台
【請求項１１】
前記モータから前記変位部への動力の伝達は複数の歯車によりなされ、
前記モータの出力軸にはウォーム歯車が設置されていることを特徴とする請求項７〜１０のいずれか１つに記載の書見台。
【請求項１２】
前記下辺固定具を前記平板上で任意の高さに調節する調節機構を具備することを特徴とする請求項２〜１１のいずれか１つに記載の書見台。
【請求項１３】
前記平板を任意の高さに調節する調節機構と、
該平板の高さに合わせて前記変位部の高さを調節する調節機構と、
を具備することを特徴とする請求項２〜１１のいずれか１つに記載の書見台。
【発明の詳細な説明】
【技術分野】
【０００１】
本発明は、書籍を開いた状態で保持する書見台に関するものである。
【背景技術】
【０００２】
従来の書見台として、次のようなものが開示されている。第１の従来技術は、設置部に傾斜部を立設してなる支持部材と、支持部材に進退自在に挿通される挿通部に傾斜部に対向可能な押さえ部を立設してなる保持部材とからなり、傾斜部と該押さえ部との間の対向間隙を書籍保持部に書籍保持部に形成すると共に保持部材の進退調節により該対向間隙を調節自在に設けてなる書見台であり、これにより書籍類に応じて対向間隙を調節することにより、書籍類を開き状態に容易に保持することができるとされている（特許文献１参照）。また、第２の従来技術は、書籍を載置する板状の載置部と、この載置部の下端縁に突設され書籍を受ける受け部とを備え、載置部の上下方向に延設されると共に、載置部の左右方向にスライド可能とされ、書籍の開かれたページを押さえるページ押さえを備え、前記ページ押さえは、前記載置部に巻回される弾性紐状部材と、この弾性紐状部材が挿通され、前記載置部の書籍等の載置面に配置される筒状部材とを含んで構成される書見台であり、これによりページ押さえを左右方向にスライドさせることにより、種々の大きさの本に対応できるとされている（特許文献２参照）。
【特許文献１】特開平９−２９９１５５号公報
【特許文献２】特開２００１−３７５５１号公報
【発明の開示】
【発明が解決しようとする課題】
【０００３】
しかしながら、上記第１及び第２の従来技術に開示されるものは、いずれも書籍のページを捲る度に、両手を使わなければならないという不具合がある。
【０００４】
そこで、本発明は、片手でも頁めくりの動作を可能にする書見台を提供することを課題とする。
【課題を解決するための手段】
【０００５】
上記課題を解決するために、本発明に係る書見台は、書籍を載置する平板と、利用者により操作される操作部と、前記操作部と所定の連動機構を介して連結し、前記平板の上辺に該平板の中心を挟んで左右に少なくとも１つずつ配置され、前記操作部になされた操作に応じて変位する変位部と、前記変位部と連結し、該変位部の変位に伴い前記書籍の開かれた左右の頁をそれぞれ拘束及び解放するアームとを具備して構成されるものである（請求項１）。
【０００６】
また、上記請求項１記載の構成において、前記平板の上辺に該平板の中心を挟んで左右に少なくとも１つずつ配置され、前記書籍の表表紙及び裏表紙のそれぞれの上端部分を固定する上辺固定具と、前記平板の下辺に該平板の中心を挟んで左右に少なくとも１つずつ配置され、前記書籍の表表紙及び裏表紙のそれぞれの下端部分を固定する下辺固定具とを更に具備することが好ましい（請求項２）。
【０００７】
また、上記請求項１又は２記載の構成において、前記アームは、その先端の前記書籍と対峙する部分に弾性部材が配される共に、複数又は単数の関節部を有することが好ましい（請求項３）。
【０００８】
また、上記請求項１〜３のいずれかに記載の構成において、前記操作部は、前記平板の下辺部に配され、該平板に対して略垂直に摺動する部材であることが好ましい（請求項４）。
【０００９】
また、上記請求項４記載の構成において、前記平板の下辺部には、前記操作部の操作時に利用者が指を掛けるためのリブが形成されていることが好ましい（請求項５）。
【００１０】
また、上記請求項４又は５記載の構成において、前記連動機構は、前記操作部と連結し該操作部の摺動に合わせて長手方向の軸を中心に回動する回動ロッドと、前記回動ロッドから延設されると共に、前記変位部と摺動可能に連結する枝部と、一端が前記変位部と連結すると共に、他端が所定の不動点に固定される板ばねとを具備して構成されることが好ましい（請求項６）。
【００１１】
また、上記請求項１〜３のいずれかに記載の構成において、前記操作部は、解放スイッチ及び拘束スイッチを具備し、前記連動機構は、前記変位部を書籍の解放位置へ付勢する変位部ばねと、前記変位部と係合することにより該変位部を書籍の拘束位置に保持するラチェットと、前記ラチェットを前記変位部と係合する位置へ付勢するラチェットばねと、前記解放スイッチをＯＮにすることにより通電され、通電されることにより前記ラチェットを前記変位部との係合位置から解除位置へ前記ラチェットばねに抗して変位させるラチェットソレノイドと、前記変位部と所定の動力伝達機構を介して連結し、通電されることにより該変位部を解放位置から拘束位置に前記変位部ばねに抗して変位させる駆動力となるモータと、前記モータへ通電するモータスイッチと、前記拘束スイッチをＯＮにすることにより前記モータスイッチをＯＮにするモータスイッチ切換手段とを具備して構成されてもよい（請求項７）。
【００１２】
また、上記請求項７記載の構成において、前記モータスイッチ切換手段は、前記モータが載置されると共に、前記モータスイッチとの接触又は非接触位置に変位可能なモータ台座と、前記モータ台座を前記モータスイッチとの非接触位置へ付勢するモータ台座ばねと、前記拘束スイッチをＯＮにすることにより通電され、通電されることにより前記モータ台座を前記モータスイッチとの接触位置に前記モータ台座ばねに抗して変位させるモータ台座ソレノイドとを具備して構成することができる（請求項８）。
【００１３】
また、上記請求項８記載の構成において、前記変位部が前記拘束位置にある時にＯＮとなると共に、該拘束位置から脱した時にＯＦＦとなるラチェットソレノイドスイッチと、前記変位部が前記拘束位置にある時にＯＦＦとなると共に、該拘束位置から脱した時にＯＮとなるモータ台座ソレノイドスイッチとを具備し、前記ラチェットソレノイドは、前記ラチェットソレノイドスイッチがＯＮであり、且つ前記解放スイッチがＯＮである時に通電され、前記モータ台座ソレノイドは、前記モータ台座ソレノイドスイッチがＯＮであり、且つ前記拘束スイッチがＯＮである時に通電されることが好ましい（請求項９）。
【００１４】
また、上記請求項７記載の構成において、前記モータスイッチ切換手段は、前記モータスイッチとの接触又は非接触位置に変位するモータ用変位体と、前記モータ用変位体を前記モータスイッチとの非接触位置へ付勢するモータ用変位体ばねと、前記拘束スイッチをＯＮにすることにより通電され、通電されることにより前記モータ用変位体を前記モータスイッチとの接触位置に前記モータ用変位体ばねに抗して変位させるモータ用変位体ソレノイドとを具備して構成することもできる（請求項１０）。
【００１５】
また、上記請求項７〜１１のいずれかに記載の構成において、前記モータから前記変位部への動力の伝達は複数の歯車によりなされ、前記モータの出力軸にはウォーム歯車が設置されていることが好ましい（請求項１１）。
【００１６】
また、上記請求項２〜１１のいずれかに記載の構成において、前記下辺固定具を前記平板上で任意の高さに調節する調節機構を具備してもよい（請求項１２）。
【００１７】
また、上記請求項２〜１１のいずれかに記載の構成において、前記平板を任意の高さに調節する調節機構と、該平板の高さに合わせて前記変位部の高さを調節する調節機構とを具備してもよい（請求項１３）。
【発明の効果】
【００１８】
上記請求項１記載の構成により、利用者は、先ず操作部を操作して、平板の上辺に配置される変位部及びアームを解放位置、即ちアームが上がった状態にした後、書籍を平板上に載せ、所望の頁を開き、再び前記操作部を操作して、前記アームを拘束位置、即ちアームが下がり前記頁に当接した状態にすることにより、書籍の開かれた左右両頁を抑えることができる。そして、次頁へ進む場合には、操作部を操作して後頁側のアームを解放し、頁を捲った後、再び操作部を操作してこのアームを拘束位置に戻し、次いで操作部を操作して前頁側のアームを解放し、捲られた頁を重ね、再び操作部を操作してこのアームを拘束位置に戻す。以上の操作により、利用者が自らの手で抑えることなく書籍を所望の頁を開いた状態で保持することができる。また、本構成によれば、利用者は頁を捲る作業を片手で行うことができる。また、上記請求項２記載の構成によれば、上辺固定具により平板上に載置した書籍の表表紙及び裏表紙の上端を、また下辺固定具により表表紙及び裏表紙の下端をそれぞれ固定することができるので、更に安定した保持状態を得ることができる。
【００１９】
上記請求項３記載の構成によれば、アーム先端に配置されたゴム等の弾性部材により書籍の頁を傷つけることなく確実に拘束することができると共に、関節部を調節することにより、書籍に適した抑え状態を設定することができる。
【００２０】
上記請求項４及び５記載の構成によれば、片手での操作性を向上させることができる。
【００２１】
上記請求項６記載の構成は、機械的な連動機構、上記請求項７〜１１記載の構成は、電気的な連動機構の好例であり、これにより機能性、操作性、耐久性、安全性等の面で優れた書見台を提供することができる。
【００２２】
請求項１２及び１３記載の構成によれば、本書見台が様々な大きさの書籍に対して利用可能となる。特に、請求項１２記載の構成によれば、小さい書籍を読む場合に好適となり、請求項１３記載の構成によれば、大きい書籍を読む場合に好適となる。
【発明を実施するための最良の形態】
【００２３】
以下、添付した図面を参照して本発明の実施例を説明する。また、異なる実施例において、その前述の実施例と同一又は同様の箇所についてはその説明を省略する。
【実施例１】
【００２４】
図１及び図２に示す書見台１は、書籍２をその表表紙２ａ及び裏表紙２ｂが接するように載置させる平板３と、前記平板３の上辺に該平板３の中心を挟んで左右に１つずつ配置され、前記書籍２の表表紙２ａ及び裏表紙２ｂのそれぞれの上端部分を固定する第１及び第２の上辺固定具４ａ，４ｂと、前記平板３の下辺に該平板３の中心を挟んで左右に１つずつ配置され、前記書籍２の表表紙２ａ及び裏表紙２ｂのそれぞれの下端部分を固定する第１及び第２の下辺固定具５ａ，５ｂと、前記平板３の下辺端面１７の中心を挟んで左右に１つずつ設けられ、利用者により操作される第１及び第２の操作部６ａ，６ｂと、前記操作部６ａ，６ｂと連動機構１８を介して連結し、該操作部６ａ，６ｂになされる操作に応じて変位する第１及び第２の変位部７ａ，７ｂと、前記変位部７ａ，７ｂと連結し、これら変位部７ａ，７ｂの変位に伴い前記書籍２の開かれた左右の頁をそれぞれ拘束及び解放する第１及び第２のアーム８ａ，８ｂとを具備して構成される。
【００２５】
前記上辺固定具４ａ，４ｂ及び前記下辺固定具５ａ，５ｂは、対象物を挟んで保持する公知のクリップ状の部材であり、上辺固定具４ａ，４ｂは平板３の上辺に形成されたリブ１５に沿って、また下辺固定具５ａ，５ｂは平板２の下辺に形成されたリブ１６に沿って、左右の任意の位置に設置可能になされている。また、前記下辺固定具５ａ，５ｂは、その大きさ（長さ）の異なるものを適宜選択して使用することにより、文庫本や新書本等の異なる大きさの書籍２に対しても対応可能となる。前記操作部６ａ，６ｂは、図２（ｃ）に示すように、前記下辺端面１７に設置され、ハンドル１９が軸２０により前記平板３に対して垂直方向（前記平板３に対面する利用者から見て前後方向）にシーソー状に摺動するように固定されている。また、前記平板３の下辺部には、前記ハンドル１９を操作する際に指を掛けるためのリブ１６が形成されている。前記変位部７ａ，７ｂは、平板３の上辺部に設置され、図２（ｄ）に示すように、略Ｌ字形状の旋回座２３が軸２４により前後に旋回可能に固定されている。前記アーム８ａ，８ｂは、図１及び図２（ｄ）に示すように、棒状部材１１、関節部材１２、及び弾性部材１３により構成されており、前記旋回座２３と棒状部材１１、及び２本の棒状部材１１間を公知且つ適宜の関節部材１２により連結すると共に、前記平板３と対峙する棒状部材１１の先端に、ゴム等からなり適宜の形状を有する弾性部材１３が固定されている。
【００２６】
前記連動機構１８は、図２（ａ），（ｄ）に示すように、回動ロッド２６、枝部２７、板ばね２９を有して構成されている。前記回動ロッド２６は、その下端が前記操作部５ａ，５ｂの軸２０に連結固定されると共に、その上端が平板３の上辺端面に回動自在に支持されており、前記ハンドル１９の摺動に伴い回動する。前記枝部２７は、前記回動ロッド２６の上端近傍から前記旋回座２３の下端部２８（図３（ａ），（ｂ）参照）に延設され、該下端部２８に形成された長孔３０及び軸３１を介して該下端部２８に摺動可能に連結されており、前記回動ロッド２６の回動に伴い、前記平板３に対面する利用者から見て略前後方向に変位する。前記板ばね２９は、その一端が前記旋回座２３の下端部２８に形成された穴及び軸３２により該下端部２８に摺動可能に連結されると共に、その他端が前記回動ロッド２６の枠組等の不動点に固定されており、前記下端部２８の変位に伴いそのたわみ量が変化する。また、前記板ばね２９は、予め若干湾曲したものが適用され、これにより前記旋回座２３を前記書籍２の頁を抑える方向に付勢することができると共に、前記旋回座２３の駆動を補助し、また前記旋回座２３が限界まで後方へ旋回した時に半楕円状を形成するようにすることにより、前記ハンドル１９の操作によらなければ前記旋回座２３が当該板ばね２９の反発力のみにより前方へ旋回することはない。
【００２７】
上記構成により、利用者は、先ず第１及び第２の操作部６ａ，６ｂの両方を後方（図２（ｃ）において実線で示す状態）へ押し、第１及び第２のアーム８ａ，８ｂを上げた（解放位置にした）後、書籍２を平板３上に載せ、第１の上辺固定具４ａにより表表紙２ａの上端を、第２の上辺固定具４ｂにより裏表紙２ｂの上端を、第１の下辺固定具５ａにより表表紙２ａの下端を、そして第２の下辺固定具５ｂにより裏表紙２ｂの下端を固定する。次いで、所望の頁を開き、前記両操作部６ａ，６ｂを前方（図２（ｃ）において二点鎖線で示す状態）に引くことにより、前記両アーム８ａ，８ｂを下げ（拘束位置にし）、書籍２の開かれた両頁を抑える。この時、アーム８ａ，８ｂの関節部１２を調節することにより、書籍２に適した状態を設定することができる。そして、次頁へ進む場合には、第２の操作部６ｂを押して第２のアーム８ｂを上げ、頁を左から右に捲り、第２の操作部６ｂを引いて第２のアーム８ｂを下げ、その後第１の操作部６ａを押して第１のアーム８ａを上げ、捲られた頁を右側の頁群に重ね、第１の操作部６ａを引いて第１のアーム８ａを下げる。以上の操作により、利用者が自らの手で抑えることなく書籍２を所望の頁を開いた状態で保持することができる。また、本構成によれば、利用者は頁を捲る作業を片手で行うことができる。
【実施例２】
【００２８】
図４に示す本実施例に係る所見台３５は、利用者により操作される操作部４０，４１と、変位部７ａとを連結する連動機構３９を電気的に構成したものである。尚、以下、当該所見台３５の右側半分の構成について説明するが、左側半分の構成もこれと同様である。
【００２９】
本実施例においては、変位部７ａは、図４（ｃ）に示すように、ばね４５の反発力により解放方向へ付勢されており、この変位部７ａを拘束位置に保つために、該変位部７ａの一部にラチェット４４が係合する構成となっている。また、変位部７ａを解放位置から拘束位置へ復帰させるために、モータ５３の駆動力を利用する。
【００３０】
前記ラチェット４４は、ラチェットソレノイド４２及びラチェットばね５５により変位される。ラチェットソレノイド４２に通電すると、ラチェット４４はラチェットばね５５の反発力に抗してラチェットソレノイド４２に接触し、この時ラチェット４４と前記変位部７ａとの係合がはずれる。前記ラチェットソレノイド４２は、前記解放スイッチ４１及びラチェットソレノイドスイッチ５１が共にＯＮとなったときに通電される。前記ラチェットソレノイドスイッチ５１は、前記変位部７ａが拘束位置にある時には、常にＯＮとなるようになされており、このような構成は、変位部７ａが拘束位置にある時に、例えば図４（ｄ）に示すように、この変位部７ａの一部が梃状部材５４を介して前記ラチェットソレノイドスイッチ５１を機械的に押す構成により実現できる。
【００３１】
前記モータ５３の出力軸５８には第１の平歯車４７が設置されており、該モータ５３が駆動する時には、前記第１の平歯車４７が第２の平歯車４８と噛合し、該第２の平歯車４８が前記変位部７ａと一体に固定された第３の平歯車４９と噛合する。前記モータ５３は、モータスイッチ５０がＯＮになることにより駆動する。前記モータスイッチ５０は、前記モータ５３が載置されると共に背板１０に回動可能に軸５６により支持されたモータ台座４６の変位によりＯＮ／ＯＦＦされる。前記モータ台座４６は、モータ台座ソレノイド４３及びモータ台座ばね５７により変位される。モータ台座ソレノイド４３に通電すると、モータ台座４６はモータ台座ばね５７の反発力に抗してモータ台座ソレノイド４３に接触し、この時モータ台座４６の一部が前記モータスイッチ５０を押しこれがＯＮとなり、前記第１の平歯車４７と前記第２の平歯車４８とが噛合する。前記モータ台座ソレノイド４３は、前記解放スイッチ４１及びモータ台座ソレノイドスイッチ５２が、共にＯＮとなったとき通電される。前記モータ台座ソレノイドスイッチ５２は、前記変位部７ａが解放位置にある時に、ＯＮとなるようになされており、このような構成は、前述の図４（ｄ）に示す構成と、ソレノイドスイッチ５１，５２として常にどちらか一方だけがＯＮとなるものを利用することにより実現できる。
【００３２】
前記変位部７ａが解放位置にある時に、前記拘束スイッチ４０を押すことにより、前記モータ台座ソレノイド３４が通電し、前記モータ台座４６が変位し、前記モータスイッチ５０がＯＮとなり、前記第１の平歯車４７が前記第２の平歯車４８と噛合すると共に回転し、これに伴い第３の平歯車４９が回転し、前記変位部７ａが平板３の上辺に形成されたリブ１５に当接するまで、即ち拘束位置まで旋回する。前記変位部７ａが拘束位置まで達すると、図４（ｄ）に示すような構造を介して、モータ台座ソレノイドスイッチ５２がＯＦＦとなると共にラチェットソレノイドスイッチ５１がＯＮとなる。
【００３３】
前記変位部７ａが拘束位置にある時に、前記解放スイッチ４１を押すことにより、前記ラチェットソレノイド４２が通電し、前記ラチェット４４が変位し、該ラチェット４４と前記変位部７ａとの係合がはずれ、該変位部７ａは前記ばね４５により解放位置に旋回する。このとき、背板１０に固定された板ばね状の緩衝部材３９により、前記変位部７ａの変位による衝撃は緩和される。前記変位部７ａが拘束位置から離れると、ラチェットソレノイドスイッチ５１がＯＦＦとなると共にモータ台座スイッチ５２がＯＮとなる。
【００３４】
尚、ここでは前記モータ５３の出力軸５８に平歯車４７を設置した場合の構成を示したが、この出力軸５８にはウォーム歯車を設置してもよく、これにより前記第２の平歯車４８との噛合をよりスムーズにすることができる。但し、この場合には、出力軸５８が平板３に対して垂直方向に延びるように、モータ５３、その他の部品を配置する必要がある。
【００３５】
上記のような構成によっても、利用者が自らの手で抑えることなく書籍２を所望の頁を開いた状態で保持することができる。また、本構成によれば、利用者は頁を捲る作業を片手で行うことができる。
【実施例３】
【００３６】
図５（ａ），（ｂ）に示す本実施例に係る書見台８９は、電気的な連動機構９０を有するものの他の構成例であり、モータ用変位体９１、モータ用変位体ばね９２、モータ用変位体ソレノイド９３を具備し、モータ５３の出力軸５８には、ウォーム歯車９４が設置されている。
【００３７】
前記モータ用変位体９１は、背板１０等の枠体に軸支されシーソー状に変位する部材であり、前記モータ用変位体ばね９２により常時前記モータスイッチ５０をＯＦＦにする方向に付勢され、前記モータ用変位体ソレノイド９３に通電された時にのみ該ソレノイド９３と接触する位置に変位し、前記モータスイッチ５０をＯＮにする。また、前記モータ用変位体９１の前記モータスイッチ５０と接触する端部９１ａとは反対側の端部９１ｂには、ウォームホイール９５及び第１の平歯車９６が連接軸９７により連結されてなる連接歯車９８が設置されている。前記モータ用変位体９１が前記モータスイッチ５０をＯＮにする位置にある時に、前記ウォーム歯車９４と前記ウォームホイール９５とが噛合し、第１の平歯車９６、第２の平歯車９９、及び第３の平歯車１００を介して前記モータ５３の動力が前記変位部７ａに伝達される。尚、上記以外の部分は、上記実施例２と同様の構成である。
【００３８】
上記構成は、噛合性の良いウォーム歯車９４を用いた電気的な連動機構９０の好例である。また、本構成によれば、上記実施例２におけるモータ台座４６及びこれに関連する部材を具備する必要がなくなる。
【実施例４】
【００３９】
図６に示す本実施例に係る書見台５９は、下辺固定具７０ａ，７０ｂを上下に移動可能にする調節機構６０を備えるものである。
【００４０】
前記下辺固定具７０ａ，７０ｂは、ピニオン６８と噛合すると共にラックレール７１に摺動可能に支持されたラック６９に固定され、前記ピニオン６８は回転軸６６の上端に配置されたウォーム歯車６７と噛合する。前記回転軸６６は、平板３の枠体の下辺部に回転可能に支持され、その下端部には、前記枠体を貫通してハンドル６５が固定されている。
【００４１】
上記構成により、利用者が前記ハンドル６５を回すことにより、前記下辺固定具７０ａ，７０ｂを書籍の縦方向の長さに合わせて調節することができるので、様々な大きさの書籍に対して利用することができるようになる。また、前記ウォーム歯車６７を利用することにより、書籍の重さで前記下辺固定具７０ａ，７０ｂが下降することを防ぐことができる。
【実施例５】
【００４２】
図７及び図８に示す本発明に係る書見台７３は、平板３を上下に移動可能にする調節機構７５と、この平板３の高さに合わせて変位部７ａ，７ｂの高さを調節する調節機構７６を備えるものである。尚、前記変位部７ａ，７ｂの調節機構７６については、当該所見台７３の右側半分の構成について説明するが、左側半分の構成もこれと同様である。
【００４３】
本書見台７３においては、前記平板３と、その下辺部を含む台部７９とが別体となっている。前記平板３の調節機構７５は、前記台部７９に設けられた２つの軸点８０、前記平板３に設けられた２つの軸点８１、前記軸点８０及び８１の中間に位置する２つの軸点８２、そして各軸点８０，８１，８２を斜めに連結する計４本の棒状部材８３により構成することができる。前記変位部７ａ，７ｂの調節機構７６は、上記実施例１における回動ロッド２６を第１の部材８５と第２の部材８６とに分けて構成し、これら両部材８５，８６を所定の長さで固定するための締め具８９を備えて構成される。前記第１の部材８５は空洞になっており、該空洞に前記第２の部材８６が長手方向に摺動可能に挿入され、該空洞及び第２の部材８６の断面形状は、四角形等の非円形状であることが好ましい。。
【００４４】
上記構成によれば、縦方向に長い書籍に対しても対応することができる。
【図面の簡単な説明】
【００４５】
【図１】本発明の実施例１に係る書見台の使用時の態様を示す正面図である。
【図２】（ａ）は、実施例１に係る書見台の連動機構の構成を示す一部透過正面図である。（ｂ）は、（ａ）の上面図である。（ｃ）は、（ａ）の下面図である。（ｄ）は、（ａ）の側面断面図である。
【図３】（ａ）は、拘束位置にある旋回座の下端部と枝部との連結状態、及び該下端部と板ばねとの連結状態を示す一部拡大図である。（ｂ）は、解放位置にある旋回座の下端部と枝部との連結状態、及び該下端部と板ばねとの連結状態を示す一部拡大図である。
【図４】（ａ）は、実施例２に係る書見台の連動機構の構成を示す一部透過正面図である。（ｂ）は、（ａ）の要部の構造を示す側面図である。（ｃ）は、変位部とラチェットとの関係を示す一部側面断面図である。（ｄ）は、変位部と、ラチェットソレノイドスイッチ及びモータ台座ソレノイドスイッチとの関係を示す一部拡大図である。
【図５】（ａ）は、実施例３に係る書見台の連動機構の構成を示す一部透過正面図である。（ｂ）は、（ａ）の要部の構造を示す側面断面図である。
【図６】実施例４に係る書見台の下辺固定具の高さを調節する調節機構の構成を示す一部透過正面図である。
【図７】実施例５に係る書見台の平板の高さを調節する調節機構の構成を示す透過正面図である。
【図８】実施例５に係る書見台の変位部の高さを調節する調節機構の構成を示す一部透過正面図である。
【符号の説明】
【００４６】
１，３５，５９，７３，８９  書見台
２  書籍
２ａ  表表紙
２ｂ  裏表紙
３  平板
４ａ，４ｂ  上辺固定具
５ａ，５ｂ  下辺固定具
６ａ，６ｂ  操作部
７ａ，７ｂ  変位部
８ａ，８ｂ  アーム
１２  関節部
１３  弾性部材
１５，１６  リブ
１７  下辺端面
１８，３９，９０  連動機構
１９  ハンドル
２３  旋回座
２６  回動ロッド
２７  枝部
２８  下端部
２９  板ばね
３０  長孔
４０  拘束スイッチ
４１  解放スイッチ
４２  ラチェットソレノイド
４３  モータ台座ソレノイド
４４  ラチェット
４５  ばね
４６  モータ台座
６７，９４  ウォーム歯車
５０  モータスイッチ
５１  ラチェットソレノイドスイッチ
５２  モータ台座ソレノイドスイッチ
５３  モータ
５５  ラチェットばね
５６  回動軸
５７  モータ台座ばね
６０  （下辺固定具の高さ）調節機構
６５  ハンドル
６６  回転軸
６８  ピニオン
６９  ラック
７５  （平板の高さ）調節機構
７６  （変位部の高さ）調節機構
９１  モータ用変位体
９２  モータ用変位体ばね
９３  モータ用変位体ソレノイド
９４  ウォーム歯車
９５  ウォームホイール
９８  連接歯車
【図１】
2006034551.tif 000003
【図２】
2006034551.tif 000004
【図３】
2006034551.tif 000005
【図４】
2006034551.tif 000006
【図５】
2006034551.tif 000007
【図６】
2006034551.tif 000008
【図７】
2006034551.tif 000009
【図８】
2006034551.tif 000010